(57)【要約】【課題】従来の電気掃除機は、排気カバーは突起部を有する形状であっため、使用者が電気掃除機本体を縦置き収納状態の姿勢で持ち運んでいる最中に誤って落下させた場合、突起部に衝撃が集中し、排気カバーが破損しやすかった。上記の課題に鑑み、排気カバーが破損しにくい丈夫な電気掃除機を提供することを目的とする。【解決手段】本発明は、吸引力を発生させる電動送風機、吸塵した塵埃を集塵する集塵部が収まる本体ケースと、本体ケースの後側に設けられた排気口と、排気口に設けられた排気フィルタと、排気フィルタ体を外側から押さえるように保持する排気カバーが備わる電気掃除機において、本体ケースを縦置き状態に支持する支持突起部が本体ケースの後外壁面に一体に設けられている。支持突起部は後端から前方に向かって凹む凹部を有し、頭部が凹部に落ち込む程度までねじ込まれて前記排気カバーを締め付け固定するカバー止ネジを備える。【選択図】図１
2008307316.tif 000002
【特許請求の範囲】
【請求項１】
吸引力を発生させる電動送風機と、吸塵した塵埃を集塵する集塵部が収まる本体ケースと、前記本体ケースの後側に設けられた排気口と、前記排気口に設けられた排気フィルタ体と、前記排気フィルタ体を外側から押さえるように保持する排気カバーが備わる電気掃除機において、
前記本体ケースを縦置き状態に支持する支持突起部が前記本体ケースの後外壁面に一体に設けられていることを特徴とする電気掃除機。
【請求項２】
吸引力を発生させる電動送風機と、吸塵した塵埃を集塵する集塵部が収まる本体ケースと、前記本体ケースの後側に設けられた排気口と、前記排気口に設けられた排気フィルタ体と、前記排気フィルタ体を外側から押さえるように保持する排気カバーと、前記本体ケースの底部に設けるキャスターと、前記本体ケースの後部両側に設けられ、前記キャスターに備わる小車輪より大きい大車輪を備える電気掃除機において、
前記本体ケースを縦置き状態に支持する支持突起部が前記本体ケースの後外壁面に一体に設けられ、
前記支持突起部の後端と前記大車輪の外周を結ぶ線が前記本体ケースの後外壁面になるように前記大車輪の外周を前記本体ケースの後外壁面よりも外側に突き出したことを特徴とする電気掃除機。
【請求項３】
吸引力を発生させる電動送風機と、吸塵した塵埃を集塵する集塵部が収まる本体ケースと、前記本体ケースを形成するところの上下に合わさる上本体ケース、および下本体ケースと、前記上本体ケースの後側に設けられた排気口と、前記排気口に設けられた排気フィルタ体と、前記排気フィルタ体を外側から押さえるように保持する排気カバーが備わる電気掃除機において、
前記本体ケースを縦置き状態に支持する支持突起部が前記上本体ケースの後外壁面に一体に設けられていることを特徴とする電気掃除機。
【請求項４】
請求項１〜３の何れかに記載された電気掃除機において、
前記支持突起部は後端から前方に向かって凹む凹部を有し、
頭部が前記凹部に落ち込む程度までねじ込まれて前記排気カバーを締め付け固定するカバー止ネジを備えることを特徴とする電気掃除機。
【請求項５】
請求項１〜３の何れかに記載された電気掃除機において、
前記排気カバーは後側下端より下方に垂下するネジボスを有し、
前記本体ケースは前記支持突起部の付け根に前記ネジボスが挿入され、上向きに開口するボス挿入溝を有し、
前記支持突起部は前記ネジボスのネジ穴に向かって貫通するネジ挿入穴を有し、
前記ネジ挿入穴から挿入され、前記ネジ穴に螺合して前記排気カバーを締め付け固定するカバー止ネジを備えたことを特徴とする電気掃除機。
【請求項６】
請求項４または５に記載された電気掃除機において、
前記支持突起部は後側から見て横方向に延在する横長の楕円形状を有することを特徴とする電気掃除機。
【請求項７】
請求項２または６に記載された電気掃除機において、
二つの前記大車輪と前記支持突起部との三点支持で前記本体ケースは縦置き状態に保たれることを特徴とする電気掃除機。
【発明の詳細な説明】
【技術分野】
【０００１】
本発明は、電動送風機と集塵部を本体ケース内に備え、前記本体ケースは排気口を有し、前記排気口にはフィルタ体と、前記フィルタ体を保持するための排気カバーを備えた電気掃除機に関する。
【背景技術】
【０００２】
この種の電気掃除機は、例えば、特開平１０−２３４６２５号公報（特許文献１）、特開平４−２８５５１８号公報（特許文献２）、特開平９−７５２８０号公報（特許文献２）に掲載されている。
【０００３】
この種の電気掃除機の課題に関し、図７〜図１０を引用して説明する。
【０００４】
図７は従来の電気掃除機における、使用状態を示す図である。図８は従来の電気掃除機における、電気掃除機本体５０１の断面図である。
【０００５】
電気掃除機本体５０１には集塵室６０１と、吸引力を発生させる電動送風機６０２と、電気掃除機本体５０１の運転を制御する制御回路６０３が設けられている。
【０００６】
制御回路６０３は操作部５０２の入力に従い電動送風機６０２を駆動させ、吸引力を発生させる。
【０００７】
この吸引力によって、延長管５０３とホース５０４を介して電気掃除機本体５０１に接続されている吸口体５０５より、塵埃を含んだ空気が集塵室６０１へ送られ、集塵室６０１に設けた第一のフィルタ体６０４が塵埃を捕集する。
【０００８】
第一のフィルタ体６０４を通過した空気は電動送風機６０２を通過した後、排気口６０５より電気掃除機本体５０１の機外へ排出される。
【０００９】
排気口６０５には、第二のフィルタ体６０６が設けられており、第二のフィルタ体６０６は排気カバー６０７によって保持される。第二のフィルタ体６０６は、第一のフィルタ体６０４で捕集しきれかった塵埃を捕集する。
【００１０】
図９は従来の電気掃除機における、電気掃除機本体５０１の縦置き収納状態を示す図、図１０は従来の電気掃除機における、排気カバー６０７の取り付け状態を示す図である。
【００１１】
縦置き収納状態において電気掃除機本体５０１は、排気カバー６０７に一体に設けられた支持突起部８０１と、電気掃除機本体５０１に左右１個づつ設けられた車輪７０１の３点により支持される。支持突起部８０１は、内側に凹部８０２を有する形状をしている。
【００１２】
排気カバー６０７はカバー止ネジ８０３により電気掃除機本体５０１に固定される。カバー止ネジ８０３を用いることで排気カバー６０７の取り付け、取り外しが容易となり、使用者は第二のフィルタ体６０６を取り外して、メンテナンスをすることができる。
【００１３】
カバー止ネジ８０３の取り付け部は、凹部８０２に設けられているため、カバー止ネジ８０３が掃除機本体５０１の表面に突出することがなく、カバー止ネジ８０３によって電気掃除機本体５０１の意匠性を損なうことがない。
【００１４】
さらに、使用者がカバー止ネジ８０３に直接触れることがないため、カバー止ネジ８０３締め付け時に発生したカバー止ネジ８０３先端のバリに触れることによってケガをするおそれなどがなく、より安全性の高い電気掃除機を提供することができる。
【００１５】
しかし、従来の電気掃除機は、次に述べるような課題がある。
【００１６】
【特許文献１】特開平１０−２３４６２５号公報
【特許文献２】特開平４−２８５５１８号公報
【特許文献３】特開平９−７５２８０号公報
【発明の開示】
【発明が解決しようとする課題】
【００１７】
従来の電気掃除機において、排気カバーは突起部を有する形状であっため、使用者が電気掃除機本体を縦置き収納状態の姿勢で持ち運んでいる最中に誤って落下させた場合、突起部に衝撃が集中し、排気カバーが破損しやすかった。
【００１８】
また近年、意匠性の向上を図るため、排気カバーの材質として透明ＡＢＳを採用する電気掃除機が増えている。一般的に、透明ＡＢＳは不透明ＡＢＳよりも脆い性質があるため、電気掃除機本体の落下による排気カバーの破損がより一層懸念される。
【００１９】
排気カバーの破損を防止する対策として、排気カバーの厚肉化などによる補強が考えられるが、この場合、排気カバーの重量が増加し、電気掃除機の使い勝手が悪化してしまう。
【００２０】
本発明は、上記の課題に鑑み、排気カバーが破損しにくい丈夫で、かつ使い勝手が良く、意匠性に優れた電気掃除機を提供することを目的とする。
【課題を解決するための手段】
【００２１】
本発明は、吸引力を発生させる電動送風機と、吸塵した塵埃を集塵する集塵部が収まる本体ケースと、前記本体ケースの後側に設けられた排気口と、排気口に設けられた排気フィルタ体と、排気フィルタ体を外側から押さえるように保持する排気カバーが備わる電気掃除機において、前記本体ケースを縦置き状態に支持する支持突起部が本体ケースの後外壁面に一体に設けられていることを特徴とする。
【発明の効果】
【００２２】
本発明によれば、支持突起部が本体ケースの後外壁面に一体に設けたので、本体ケースを縦置き状態にしても排気カバーが無理な力で破損することがない丈夫な電気掃除機を提供できる。
【００２３】
また、本発明によれば、排気カバーを固定するカバー止ネジの取り付け部を本体ケースの支持突起部内側に設けた凹部に配置することにより、カバー止ネジが電気掃除機の本体ケースの後側表面に突出することがないため、電気掃除機本体の意匠性を損なうことなく、排気カバーを固定することができる。
【００２４】
また、使用者がカバー止ネジに直接触れることがないため、カバー止ネジ締め付け時に発生したカバー止ネジ先端のバリに触れることによってケガをするおそれなどがなく、より安全性の高い電気掃除機を提供することができる。
【００２５】
また、支持突起部を本体ケースと一体に設けることにより、使用者が電気掃除機の本体ケースを縦置き収納状態の姿勢で持ち運んでいる最中に誤って落下させた場合、排気カバーに直接衝撃が加わることがないため、排気カバーが破損しにくい。これにより、排気カバーの材質として、意匠性に優れる一方、脆い性質をもつ透明ＡＢＳなどを採用することが容易となる。
【００２６】
また、排気カバーの補強が不要であるため、排気カバーを軽量化し、電気掃除機の使い勝手を向上させることができる。
【発明を実施するための最良の形態】
【００２７】
図２は本発明実施例における、電気掃除機の使用状態を示す図、図３は本発明実施例における、電気掃除機本体２０１の断面図である。
【００２８】
電気掃除機本体２０１には集塵室３０１と、吸引力を発生させる電動送風機３０２と、電気掃除機本体２０１の運転を制御する制御回路３０３が設けられている。
【００２９】
電気掃除機本体２０１の外殻である本体ケース１０４は、上下に合わさる上本体ケース１０４１、および下本体ケース１０４２により形成される。
【００３０】
電動送風機３０２はインナーケース３０８に覆われた状態で、本体ケース１０４に収納されている。
【００３１】
制御回路３０３は操作部２０２の入力に従い電動送風機３０２を駆動させ、吸引力を発生させる。この吸引力によって、延長管２０３とホース２０４を介して電気掃除機本体２０１に接続されている吸口体２０５より、塵埃を含んだ空気が集塵室３０１へ送られ、集塵室３０１に設けた第一のフィルタ体３０４が塵埃を捕集する。
【００３２】
なお、ホース２０４の延長管２０３側の反端側端部は、電気掃除機本体２０１の前端側に着脱自在に接続される。
【００３３】
第一のフィルタ体３０４を通過した空気は電動送風機３０２を通過した後、インナーケース３０８の下部に設けられた開口部３０９より排出され、吸音材３１０が配置された排気通路３１１を通過し、排気口３０５より電気掃除機本体２０１の機外へ排出される。図３における点線は、電気掃除機本体２０１内の上記空気の流れを示している。
【００３４】
電動送風機３０２を通過した空気をインナーケース３０８の下部に設けた開口部３０９より排出し、さらに排気口３０５を電気掃除機本体２０１の上方に設けることで、排気通路３１１は断面形状が略Ｊの字を描く長い流路となり、この長い流路に吸音材３１０を配置して、電気掃除機本体の運転音の低減を図る。
【００３５】
排気口３０５には、排気フィルタである第二のフィルタ体３０６が設けられており、第二のフィルタ体３０６は排気カバー３０７によって保持される。第二のフィルタ体（排気フィルタ）３０６は、第一のフィルタ体３０４で捕集しきれかった塵埃を捕集する。
【００３６】
図４は本発明実施例における、電気掃除機本体２０１の縦置き収納状態を示す図、図１は本発明実施例における、排気カバー３０７の取り付け状態を示す図である。
【００３７】
電気掃除機本体２０１は、縦置き収納状態において、本体ケース１０４に一体に設けられた支持突起部１０１と、電気掃除機本体２０１に左右１個づつ設けられた大車輪４０１の３点により支持される。
【００３８】
支持突起部１０１は、本体ケース１０４を形成する上本体ケース１０４１に存在するので、上本体ケース１０４１と一体に形成される。大車輪４０１は、本体ケース１０４の後部両側に位置するように設けられる。
【００３９】
キャスター９００は、本体ケース１０４の底部の前側寄りに位置するように設けられる。キャスター９００に備わる小車輪９０１より、前記大車輪４０１は大きい外径を有する。電気掃除機本体２０１は、左右１個づつ設けられた大車輪４０１と、支持突起部１０１の３点により支持される。
【００４０】
すなわち、図３に示すように、支持突起部１０１の後端と大車輪４０１の外周を結ぶ線１００１は、本体ケース１０４の後外壁面よりも外側に位置する。つまり、大車輪４０１の外周は本体ケース１０４の後外壁面よりも外側に突き出た形態になる。
【００４１】
二つの大車輪４０１と支持突起部１０１の３点で、電気掃除機本体２０１の全重量を支える支持突起部１０１が本体ケース１０４に設けたので、従来の排気カバーに設けたもので比べ、排気カバーに無理な荷重がかかることがなく、丈夫な構造の電気掃除機を提供できる。
【００４２】
また、この支持突起部１０１が上本体ケース１０４１に設けられたので、支持突起部１０１と大車輪４０１の外周の設置点との間隔が離れる。このため、電気掃除機本体２０１の縦置きがより安定する。
【００４３】
支持突起部１０１は、内側に凹部１０２を有する。この凹部１０２は、後端から前方に向かって凹んでいる。凹部１０２には、ネジ挿入穴１０３１が奥に向かって貫通するように形成されている。
【００４４】
このネジ挿入穴１０３１に挿入して挿入されるカバー止ネジ１０３によって排気カバー３０７は締め付け固定される。この排気カバーの取り付けに関して図１、図５、図６を引用して説明する。
【００４５】
排気カバー３０７は、排気口３０５を覆うように本体ケース１０４の上本体ケース１０４１に取り付けられる。
【００４６】
排気カバー３０７は、後側下端より下方に垂下するように形成されたネジボス１０５や、後側よりも前側位置に下方に垂下するように形成された係止爪１０５０を有する。また引き出しコード出部１０６０に外側から嵌る逃げ穴１０７０を排気カバー３０７は有する。
【００４７】
上本体ケース１０４１は、支持突起部１０１の付け根に排気カバー３０７のネジボス１０５が挿入される上向きに開口するボス挿入溝１０６を有する。また、図示すされていないが係止爪１０５０が挿入係止溝も上本体ケース１０４１に形成されている。
【００４８】
上述したように、排気口３０５を覆うように本体ケース１０４の上本体ケース１０４１に排気カバー３０７を取り付けることにより、ネジボス１０５はボス挿入溝１０６に嵌り、係止爪１０５０は挿入係止溝に挿入係止される。
【００４９】
ネジボス１０５は、ネジ穴１０５５を有する。このネジ穴１０５５は、排気カバー３０７が上本体ケース１０４１に取り付けることにより、ネジ挿入穴１０３１と一致するように置かれる。つまり、ネジ挿入穴１０３１は、ネジボス１０５のネジ穴１０５５に向かって貫通するように凹部１０２に形成されている。
【００５０】
ネジ挿入穴１０３１より挿入したカバー止ネジ１０３をねじ込むことによって、排気カバー３０７は上本体ケース１０４１に締め付け固定される。
【００５１】
排気カバー３０７は、カバー止ネジ１０３で締め付け固定され、さらに複数の係止爪１０５０で係止されるので、確実な固定が提供される。
【００５２】
また、排気カバー３０７のネジボス１０５を支持突起部１０１の付け根に設けたボス挿入溝１０６に矢印Ａの方向に挿入した後、カバー止ネジ１０３によりネジ止めする。こうして、上本体ケース１０４１に取り付け固定された排気カバー３０７には、電気掃除機本体が縦置きされた状態に電気掃除機本体の荷重がかからない。
【００５３】
第二のフィルタ体３０６のメンテナンスは、カバー止ネジ１０３を抜き外し、締め付けによる排気カバー３０７の取り外し、取り付けにより、容易に行なわれる。
【００５４】
また、排気カバー３０７を外しても、上本体ケース１０４１と一体に設けられている支持突起部１０１により、電気掃除機本体は、通常と変わらず、縦置き状態に安定して置かれる。電気掃除機本体は転び難く、取り扱い易い。
【００５５】
さらに、支持突起部１０１のカバー止ネジ１０３の取り付け部は、凹部１０２が設けられている。このため、カバー止ネジ１０３が電気掃除機本体２０１の表面に突出することがなく、カバー止ネジ１０３によって電気掃除機本体２０１の意匠性を損なうことがない。
【００５６】
さらにまた、使用者がカバー止ネジ１０３に直接触れることがない。このため、カバー止ネジ１０３を締め付け時にカバー止ネジ１０３の先端のバリに指が触れる恐れなどがなく、より安全性の高い電気掃除機を提供することができる。
【００５７】
また、支持突起部１０１は後側から見て横方向に延在する横長の楕円形状を有するので、三点支持を担う支持突起部１０１の設置横幅が大きく、安定した設置が行なわれる。
【００５８】
また、支持突起部１０１を本体ケース１０４と一体に設けることにより、使用者が電気掃除機本体２０１を縦置き収納状態の姿勢で持ち運んでいる最中に誤って落下させた場合、排気カバー３０７に直接衝撃が加わることがない。このため、排気カバー３０７が破損しにくい。これにより、排気カバー３０７の材質として、意匠性に優れる一方、脆い性質をもつ透明ＡＢＳなどを採用することが容易となる。
【００５９】
また、排気カバー３０７の補強が不要であるため、排気カバー３０７を軽量化し、電気掃除機の使い勝手を向上させることができる。
【００６０】
上記実施例の本体ケース１０４は、上下に合わさる上本体ケース１０４１と下本体ケース１０４２を有する構成であるが、左右２分割、前後２分割、あるいは分割がない一体の本体ケースにも上述した実施例の発明は適用できる。
【００６１】
上記実施例に係わる発明の主な良さを以下にまとめて挙げる。
１．支持突起部が本体ケースの後外壁面に一体に設けたので、本体ケースを縦置き状態にしても排気カバーが無理な力で破損することがない丈夫な電気掃除機を提供できる。
２．排気カバーを固定するカバー止ネジの取り付け部を本体ケースの支持突起部内側に設けた凹部に配置することにより、カバー止ネジが電気掃除機本体の表面に突出することがないため、電気掃除機本体の意匠性を損なうことなく、排気カバーを固定することができる。
３．使用者がネジに直接触れることがないため、ネジ締め付け時に発生したネジ先端のバリに指が触れるおそれなどがなく、より安全性の高い電気掃除機を提供することができる。
４．支持突起部を本体ケースと一体に設けることにより、使用者が電気掃除機本体を縦置き収納状態の姿勢で持ち運んでいる最中に誤って落下させた場合、排気カバーに直接衝撃が加わることがないため、排気カバーが破損しにくい。これにより、排気カバーの材質として、意匠性に優れる一方、脆い性質をもつ透明ＡＢＳなどを採用することが容易となる。
５．排気カバーの補強が不要であるため、排気カバーを軽量化し、電気掃除機の使い勝手を向上させることができる。
６．支持突起部が本体ケースと一体に設けられているので、排気カバーを外しても電気掃除機本体が縦置き状態に安定して置かれる。
【図面の簡単な説明】
【００６２】
【図１】本発明実施例における、排気カバーの取り付け状態を示す図。
【図２】本発明実施例における、電気掃除機の使用状態を示す図。
【図３】本発明実施例における、電気掃除機本体の断面図。
【図４】本発明実施例における、電気掃除機本体の縦置き収納状態を示す図。
【図５】本発明実施例における、排気カバー単体を示す図。
【図６】本発明実施例における、排気カバーが外された電気掃除機本体を後側から見た図である。
【図７】従来の電気掃除機における、使用状態を示す図。
【図８】従来の電気掃除機における、電気掃除機本体の断面図。
【図９】従来の電気掃除機における、電気掃除機本体の縦置き収納状態を示す図。
【図１０】従来の電気掃除機における、排気カバーの取り付け状態を示す図。
【符号の説明】
【００６３】
１０１…支持突起部、１０２…凹部、１０３…カバー止ネジ、１０４…本体ケース、１０５…ネジボス、１０６…ボス挿入溝、２０１…電気掃除機本体、２０２…操作部、２０３…延長管、２０４…ホース、２０５…吸口体、３０１…集塵部、３０２…電動送風機、３０３…制御回路、３０４…第一のフィルタ体、３０５…排気口、３０６…第二のフィルタ体、３０７…排気カバー、３０８…インナーケース、３０９…開口部、３１０…吸音材、３１１…排気通路、４０１…大車輪。
【図１】
2008307316.tif 000003
【図２】
2008307316.tif 000004
【図３】
2008307316.tif 000005
【図４】
2008307316.tif 000006
【図５】
2008307316.tif 000007
【図６】
2008307316.tif 000008
【図７】
2008307316.tif 000009
【図８】
2008307316.tif 000010
【図９】
2008307316.tif 000011
【図１０】
2008307316.tif 000012